【手続補正書】
【提出日】平成19年7月17日(2007.7.17)
【手続補正１】
【補正対象書類名】明細書
【補正対象項目名】特許請求の範囲
【補正方法】変更
【補正の内容】
【特許請求の範囲】
【請求項１】  ウェブページを表示部に表示するブラウザを備えた情報処理装置における情報処理方法であって、表示中のウェブページを前記ブラウザより取得する取得工程と、前記取得工程で取得したウェブページからキーワードを抽出する抽出工程と、前記取得したウェブページを特定する第１のインデックスと当該ウェブページから前記抽出工程で抽出したキーワードを含む第２のインデックスとを作成するインデックス作成工程と、前記取得したウェブページを前記第１及び第２のインデックスと対応付けてデータベースに保存する保存工程とを有することを特徴とする情報処理方法。
【請求項２】  前記データベースの内容を前記第２のインデックスに基づいてソートするソート工程と、
前記ソート工程によりソートされた結果を表示する表示工程とを有することを特徴とする請求項１に記載の情報処理方法。
【請求項３】  前記第２のインデックスが１つの種類のインデックスに複数の値を持ち、前記ソート工程では、１つの種類のインデックスに複数の値を持つ情報の識別情報を、当該複数の値のそれぞれと対応付けて、前記ソートされた結果における複数箇所に位置付けることを特徴とする請求項２に記載の情報処理方法。
【請求項４】  前記保存工程が、ウェブページ毎に新規フォルダを作成するフォルダ作成工程と、当該ウェブページに所定のファイル名を付して、前記フォルダ作成工程により作成された新規フォルダに保存するファイル保存工程とを有することを特徴とする請求項１に記載の情報処理方法。
【請求項５】  前記ファイル名とファイルパスとを管理する管理工程を有することを特徴とする請求項４に記載の情報処理方法。
【請求項６】  前記フォルダ作成工程では、所定のルールに基づいて生成したフォルダ名により、新規フォルダを作成することを特徴とする請求項４に記載の情報処理方法。
【請求項７】  前記ファイル名は固定の名称であることを特徴とする請求項４に記載の情報処理方法。
【請求項８】  前記保存工程が、ウェブページ毎にユニークなファイル名を生成するファイル名生成工程と、前記ファイル名生成工程により生成したファイル名を当該ウェブページに付して保存するファイル保存工程とを有することを特徴とする請求項１に記載の情報処理方法。
【請求項９】  前記保存工程では、ウェブページとユーザが任意に付与した語句とを対応付けて保存可能であることを特徴とする請求項１に記載の情報処理方法。
【請求項１０】  前記保存工程においては、前記データベースに前記語句と対応付けられたウェブページが既に存在する場合に、保存しようとしている情報を、当該既に存在するウェブページに上書きするか、当該既に存在するウェブページとは別に保存するかを、ウェブページによらずに予めなされたユーザ設定に応じて行なうことを特徴とする請求項９に記載の情報処理方法。
【請求項１１】  前記データベースに前記語句と対応付けられたウェブページが既に存在する場合に、保存しようとしているウェブページを、当該既に存在するウェブページに上書きするか、当該既に存在するウェブページとは別に保存するかを、ユーザに質問する質問工程を有することを特徴とする請求項９に記載の情報処理方法。
【請求項１２】  前記保存工程では、ウェブページと該ウェブページが存在していたＵＲＬとを対応付けて保存することを特徴とする請求項１に記載の情報処理方法。
【請求項１３】  前記保存工程においては、前記データベースに前記ＵＲＬと対応付けられたウェブページが既に存在する場合に、保存しようとしているウェブページを、当該既に存在するウェブページに上書きするか、当該既に存在するウェブページとは別に保存するかを、ウェブページによらずに予めなされたユーザ設定に応じて行なうことを特徴とする請求項１２に記載の情報処理方法。
【請求項１４】  前記データベースに前記ＵＲＬと対応付けられたウェブページが既に存在する場合に、保存しようとしているウェブページを、当該既に存在するウェブページに上書きするか、当該既に存在するウェブページとは別に保存するかを、ユーザに質問する質問工程を有することを特徴とする請求項１２に記載の情報処理方法。
【請求項１５】  前記保存工程では、ウェブページの表示中にユーザの保存指示を要さずに、当該表示中のウェブページを保存することを特徴とする請求項１に記載の情報処理方法。
【請求項１６】  前記保存工程では、新たなＵＲＬのウェブページへ表示対象を変更する際に、表示中のウェブページを保存することを特徴とする請求項１５に記載の情報処理方法。
【請求項１７】  前記保存工程では、予め設定されたＵＲＬに関しては、ウェブページを保存する対象から除外することを特徴とする請求項１５に記載の情報処理方法。
【請求項１８】  前記ウェブページのネットワーク上のアドレスを構成するデータ列から、所定の規則に基づいて特定のデータを前記第１のインデックスの一部として抽出するインデックス抽出工程を有することを特徴とする請求項１に記載の情報処理方法。
【請求項１９】  前記特定のデータはドメイン名であることを特徴とする請求項１８に記載の情報処理方法。
【請求項２０】  前記所定の規則は、前記アドレスを構成するデータ列から、パラメータ、プロトコル、自明なアドレス、及びページ情報を除き、残ったデータについてドメイン名の知識ベースを参照してドメイン名を抽出する規則であることを特徴とする請求項１９に記載の情報処理方法。
【請求項２１】  前記特定のデータは組織名であることを特徴とする請求項１８に記載の情報処理方法。
【請求項２２】  前記所定の規則は、前記アドレスを構成するデータ列から、パラメータ、プロトコル、自明なアドレス、ページ情報、及びドメイン情報を除き、残ったデータを組織名とすることを特徴とする請求項２１に記載の情報処理方法。
【請求項２３】  前記所定の規則は更に、前記残ったデータを所定の区切り記号で分割して、それぞれを組織名とすることを特徴とする請求項２２に記載の情報処理方法。
【請求項２４】  前記表示中のウェブページに加工を行なう加工工程を有することを特徴とする請求項１に記載の情報処理方法。
【請求項２５】  前記加工は、書き込みであることを特徴とする請求項２４に記載の情報処理方法。
【請求項２６】  前記書き込みは、前記表示された情報中でユーザの指定した位置に識別子を付加し、所定の領域に当該識別子と対応付けて行なわれることを特徴とする請求項２５に記載の情報処理方法。
【請求項２７】  前記書き込みにより書き込まれた内容を前記表示された情報と識別可能に表示させる表示制御工程を有することを特徴とする請求項２５に記載の情報処理方法。
【請求項２８】  前記表示制御工程では、前記書き込み工程により書き込まれた内容に所定の区切り記号を付して表示させることを特徴とする請求項２７に記載の情報処理方法。
【請求項２９】  前記表示制御工程では、前記書き込み工程により書き込まれた内容の前または後に定型句を追加して表示させることを特徴とする請求項２７に記載の情報処理方法。
【請求項３０】  前記表示制御工程では、前記書き込み工程により書き込まれた内容をユーザの指定した表示色で表示させることを特徴とする請求項１４２に記載の情報処理方法。
【請求項３１】  前記加工は、表示された情報中の選択部分の表示形態の変更であることを特徴とする請求項２４に記載の情報処理方法。
【請求項３２】  前記加工は、表示された情報中の選択部分の削除であることを特徴とする請求項２４に記載の情報処理方法。
【請求項３３】  前記表示中のウェブページより予め指定された種類の情報を抽出する情報抽出工程と、前記情報抽出工程により抽出された情報を前記データベースに保存する抽出情報保存工程を有することを特徴とする請求項１に記載の情報処理方法。
【請求項３４】  前記情報抽出工程では、表示中のウェブページより選択された部分を所定の欄に複写する操作に応答して、当該所定の欄に複写された情報を抽出し、前記抽出情報保存工程では、当該抽出された情報を前記所定の欄に対応する属性で前記データベースに保存することを特徴とする請求項３３に記載の情報処理方法。
【請求項３５】  前記属性は、組織または人物の名称、電子メールアドレス、電話番号、ファックス番号の少なくとも１つを含むことを特徴とする請求項３４に記載の情報処理方法。
【請求項３６】  前記保存工程では、ウェブページを保存時期と対応付けて保存し、前記ウェブページに対応付けられた保存時期に基づいて、当該ウェブページを分別したグループに対応するノードを作成するノード作成工程と、前記ノード作成工程により作成された複数のノードを保存時期の順に表示するノード表示工程とを有し、前記ノード作成工程では、保存時期のある期間に対応するグループを、より短い期間に対応する複数のグループに順次細分化して、各グループに対応するノードを作成することで、階層化された複数のノードを作成することを特徴とする請求項１に記載の情報処理方法。
【請求項３７】  前記ノード表示工程では、前記階層化された複数のノードを、保存時期が古いノードについては上位のノードのみを表示し、より新しいノードほどより下位のノードまで表示することを特徴とする請求項３６に記載の情報処理方法。
【請求項３８】  前記ノード表示工程では、前記ノードに対応する各情報の識別子を、当該ノードと対応付けて表示することを特徴とする請求項３６に記載の情報処理方法。
【請求項３９】  前記識別子は当該ページ情報を取得したネットワーク上のアドレスであることを特徴とする請求項３８に記載の情報処理方法。
【請求項４０】  前記ネットワークに対する１つのセッションを１つのノードとすることを特徴とする請求項３９に記載の情報処理方法。
【請求項４１】  ウェブページを表示部に表示するブラウザを備えた情報処理装置であって、表示中のウェブページを前記ブラウザより取得する取得手段と、前記取得手段により取得したウェブページからキーワードを抽出する抽出手段と、前記取得したウェブページを特定する第１のインデックスと当該ウェブページから前記抽出手段により抽出したキーワードを含む第２のインデックスとを作成するインデックス作成手段と、前記取得したウェブページを前記第１及び第２のインデックスと対応付けてデータベースに保存する保存手段とを有することを特徴とする情報処理装置。
【請求項４２】  ウェブページを表示部に表示するブラウザを備えた情報処理装置において、表示中のウェブページを前記ブラウザより取得する取得工程と、前記取得工程で取得したウェブページからキーワードを抽出する抽出工程と、前記取得したウェブページを特定する第１のインデックスと当該ウェブページから前記抽出工程で抽出したキーワードを含む第２のインデックスとを作成するインデックス作成工程と、前記取得したウェブページを前記第１及び第２のインデックスと対応付けてデータベースに保存する保存工程とを有することを特徴とする情報処理方法を前記情報処理装置に実行させるプログラムを記憶したコンピュータ読み取り可能な記憶媒体。